(57)【特許請求の範囲】
【請求項１】
錘本体の形状が下部に向かって末広がり形状に形成される胴突き錘において、下部が上部より膨大に形成されるとともに下端部が曲面状に形成され、上記下部にだけ周面の一部に一対の扁平面が対向して設けられ、該扁平面の延長線が錘上端の外周部と接するように内傾斜角θにて内傾斜されることを特徴とする胴突き錘。
【請求項２】
請求項１記載の胴突き錘において、上記下部に重心をおくことを特徴とする胴突き錘。
【発明の詳細な説明】
【０００１】
【発明の属する技術分野】
本願発明は、胴突き釣りに使用される胴突き錘に関する。
【０００２】
【従来の技術】
胴突き釣りは、最下端に錘をつけ、仕掛けの幹糸（みきいと）７の部分に何本もの鉤（はり）を結びつけて釣る釣り方である。これに用いられるのが胴突き錘である。
【０００３】
胴突き釣りの仕掛けは、対象とする魚に応じて幹糸（みきいと）７、鉤素（はりす）９、鉤（釣り針）１１、錘１などを組み合わせて仕立ててあるため（図３参照）、沈降抵抗が大となる傾向がある。この種の釣り法においては、仕掛けを期を逸せずに早く沈めることが漁獲成果を高める上から求められる。
【０００４】
従来の胴突き錘１０１は図９のようなものであり、下部の扁平面１０３ａが軸線Ａに対し平行であり、かつ海水中への沈降を容易にすべく下端部１０３ｃが稜線状に角張って形成されるとともに、下端部１０３の側面及び上部１０２の側面が稜線状に角張って形成されていた。
【０００５】
しかし、このようなものであると船Ｓの舷１３に置いたとき接点がＭ及びＮの２点しかないため安定性に欠ける。
【０００６】
また船が揺れたとき錘１０１が転がると、錘１０１が仕掛けに絡まり漁撈効率が甚しく低下するという欠点があった。
【０００７】
さらに下端部１０３ｃの形状が稜線状に角張っていたため、沈降に伴い渦流が発生し、これにより沈降速度が甚しく低下するという欠点があった。錘の沈降が遅いと、船は常に潮の流れにより移動しているため、漁獲ポイントを狙って仕掛けを投入しても魚群のいるポイントから外れてしまい、漁獲効率を甚しく低下せしめる。
【０００８】
【発明が解決しようとする課題】
本願発明は、上記欠点を解消し、沈降速度が大で、かつ安定性の大なる胴突き錘を供し、釣果を向上せしめることを目的とする。
【０００９】
【課題を解決するための手段】
上記目的達成のため、本願発明による胴突き錘は、錘本体の形状が下部に向かって末広がり形状に形成される胴突き錘において、下部が上部より膨大に形成されるとともに下端部が曲面状に形成され、上記下部にだけ周面の一部に一対の扁平面が対向して設けられ、該扁平面の延長線が錘上端の外周部と接するように内傾斜角θにて内傾斜されることを特徴とする。
また、請求項１記載の胴突き錘において、上記下部に重心をおくことを特徴とする。
【００１０】
【発明の実施の形態】
次に、図面に示す実施の形態に基づき本願発明による胴突き錘をさらに詳しく説明する。なお、便宜上同一の機能を奏する部分には同一の符号を付してその説明を省略する。
【００１１】
図１及び図２に示すように、胴突き錘１は縦長の略台形状に形成された錘本体１Ａからなり、上部２を末広がりの棒状に形成するとともに、下部３を膨大に形成する。下部３は、正背面の一部を扁平面３ａ、３ｂに形成するとともに、下端部３ｃ及び側面３ｄを曲面状に形成する。上記扁平面３ａ、３ｂは軸線Ａに対し傾斜角θにて内傾斜して形成される。具体的には、上記扁平面３ａ、３ｂは扁平面３ａ、３ｂと上端部４の一点４ａとを結んだ線に沿って内傾斜して形成される。錘本体１Ａの重心Ｇは扁平面３ａ、３ｂの下の方の部分におかれるよう下部３の膨大度を調節する。錘本体１Ａの上端部４は曲面状に形成される。５は幹糸７に取り付けるための吊環である。
【００１２】
上記胴突き錘１は、図３に示すような構成の仕掛け６に取り付けられる。即ち、仕掛け６は幹糸７に鉤素９を介して多数の鉤１１を結び付けてなる。この仕掛け６の構成は釣る対象の魚種に応じて様々に変更される。上記仕掛け６及び胴突き錘１を有する幹糸７及び鉤１１は、図４に示すように、船Ｓから多数垂らされ、非操業時舷１３に多数置かれることになる。
【００１３】
上記実施の形態による胴突き錘１において、上記扁平面３ａ、３ｂは扁平面３ａ、３ｂと上端部４の一点４ａとを結んだ線に沿って内傾斜して形成され、下端部３ｃを曲面状に形成してあるから、図５及び図６に示すように、沈降の際に水の流れがスムーズになり、いわゆる剥離現象がなく渦流の発生がない。このため上端部４に負圧が生ぜず、水の抵抗が小となる。よって大なる沈降速度を得ることができ、早く沈降するのである。これにより漁獲効率の向上に資する効果がある。
【００１４】
この点を、次に詳しく説明する。海流による影響を受けないと仮定した場合において、海水中に錘を落下させたとき、錘に働く力は、「重力Ｖσｇ」「浮力Ｖρｇ」「抗力ＣDＡ（ρ／２）ｖ2」の３種類である。運動方程式をたてると、錘の沈降運動における加速度ｍ・（ｄｖ／ｄｔ）は［数１］のようになる。
【００１５】
【数１】
0004587093.tif 000002
【００１６】
これにより、錘を速く沈めるためには、重力を大きくし、浮力を小さくし、抗力を小さくすることが必要である。そのためには、錘の重さを大とし、体積を小とし、さらに沈降速度ｖをより速くするため、抗力係数、投影面積を小さくする必要がある。
【００１７】
錘は一定の距離を過ぎると、等速運動で沈降する。この時の速度を終末速度ｖ∞といい、運動方程式のｄｖ／ｄｔ＝０として求める。これを［数２］に示す。
【００１８】
【数２】
0004587093.tif 000003
【００１９】
沈降開始から終末速度ｖ∞に至るまでの速度、即ち、沈降速度ｖは［数３］により求められる。
【００２０】
【数３】
0004587093.tif 000004
【００２１】
終末速度に達するまでの沈降距離ｚは［数４］により求める。
【００２２】
【数４】
0004587093.tif 000005
【００２３】
終末速度に達するまでの時間ｔは［数５］により求める。
【００２４】
【数５】
0004587093.tif 000006
【００２５】
今質量ｍ：０．５７［ｋｇ］、体積０．００００５５［ｍ3］、代表長さｄ：０．０３８［ｍ］の錘を、本願発明のように形成した錘ｘと、図９のように下端部を稜線状にした錘ｙに形成する。両者の終末速度ｖ∞、終末速度に達するまでの沈降距離ｚ及び同所要時間ｔを計算すると表１の通りとなる。ただし、錘の密度σ、投影面積Ａ及び諸物性値は次の通りである。
密度σ：ｍ／ｖ＝１０３７０［ｋｇ／ｍ3］
投影面積Ａ：πｄ2／４＝０．００１１３［ｍ2］
重力加速度ｇ：９．８［ｍ／ｓ2］
抗力係数ＣD：ｘ＝０．０９、ｙ＝０．１６
海水密度ρ：１０３０［ｋｇ／ｍ3］
重力Ｖσｇ：ｘ＝５．６ｋｇ・ｍ／ｓ2、ｙ＝５．６ｋｇ・ｍ／ｓ2
浮力Ｖρｇ：ｘ＝０．６ｋｇ・ｍ／ｓ2、ｙ＝０．６ｋｇ・ｍ／ｓ2
抗力ＣDＡ（ρ／２）ｖ2：ｘ＝５．０ｋｇ・ｍ／ｓ2、ｙ＝５．０ｋｇ・ｍ／ｓ2
レイノルズ数Ｒｅ＝ρｖｄ／η：ｘ＝３．５×１０5、ｙ＝２．６×１０5
【００２６】
【表１】
0004587093.tif 000007
【００２７】
また沈降距離と沈降速度ｖとの関係を図７に、沈降距離と時間ｔとの関係を図８に各示す。
【００２８】
表１並びに図７及び図８から明らかなように、本願発明による胴突き錘の方が図９のような従来の胴突き錘より大なる終末速度ｖ∞を得ることができ、これにより水深到達時間も早くなるのである。しかもこの水深到達時間は沈降距離ｚの大小にかかわらず早いのである。よって、錘が早く沈降するので漁獲効率の向上に資する効果がある。
【００２９】
また扁平面３ａ、３ｂを軸線Ａに対し内傾斜して形成したから、図２に示すように、舷１３に置いたとき扁平面３ａ、３ｂ全面が舷１３に接するため安定する。よって、船が揺れても錘は転がり難くなり、錘が仕掛け６に絡まることを防止する。これにより漁撈効率が向上する。
【００３０】
さらに沈降速度が早くなるので、錘の重さを比較的軽くすることができ、その分錘が扱いやすくなる。この面からも漁撈効率が向上する。
【００３１】
本願発明による胴突き錘は上記した実施の形態に制限されない。例えば、扁平面３ａ、３ｂを含め錘本体１Ａの全体形状は本願発明の特徴に反しない限り任意である。具体的には、例えば、いわゆる六角型と呼ばれるような比較的ずんぐりしたタイプのものであってもよい。また、錘の長さ、巾、奥行の寸法は任意に設計可能である。
【００３２】
【発明の効果】
このように、本願発明による胴突き錘によれば、操業時大なる沈降速度で沈降することができ、しかも非操業時において安定性が大であるという効果がある。よって、漁獲効率を向上せしめるとともに漁撈効率も向上し釣果の向上を図ることができる。
【図面の簡単な説明】
【図１】本願発明による胴突き錘の実施の形態を示す正面図である。
【図２】本願発明による胴突き錘の実施の形態を示す側面図である。
【図３】胴突き釣りの仕掛けの構成を示すとともに、本願発明による胴突き錘の適用例を示す図である。
【図４】仕掛けの設置状況を示す図である。
【図５】本願発明にかかる胴突き錘のコンピュータシュミレーションにより水流テストした結果を示す図である。
【図６】本願発明にかかる胴突き錘のコンピュータシュミレーションにより水流テストした結果を示す図である。
【図７】本願発明による胴突き錘と従来の胴突き錘とによる沈降距離と沈降速度ｖとの関係を示す図である。
【図８】本願発明による胴突き錘と従来の胴突き錘とによる沈降距離と時間との関係を示す図である。
【図９】従来の同種型の錘を示す側面図である。
【符号の説明】
１        胴突き錘
１Ａ      錘本体
２        上部
３        下部
３ａ      扁平面
３ｂ      扁平面
３ｃ      下端部
３ｄ      側面
４        上端部
４ａ      点
５        吊環
６        仕掛け
７        幹糸
９        鉤素
１１      鉤
１３      舷
Ａ        軸線
１０１    胴突き錘
１０２    上部
１０３    下部
１０３ａ  扁平面
１０３ｂ  扁平面
１０３ｃ  下端部
【図１】
0004587093.tif 000008
【図２】
0004587093.tif 000009
【図３】
0004587093.tif 000010
【図４】
0004587093.tif 000011
【図５】
0004587093.tif 000012
【図６】
0004587093.tif 000013
【図７】
0004587093.tif 000014
【図８】
0004587093.tif 000015
【図９】
0004587093.tif 000016